(57)【特許請求の範囲】
【請求項１】
テープ状の接着フィルムが巻回される巻芯と、
上記巻芯の両側に設けられた一対のリールフランジとを備え、
上記一対のリールフランジは、上記接着フィルムの巻装体の内周側から外周側にかけて強く挟持していくリール部材。
【請求項２】
テープ状の接着フィルムが巻回される巻芯と、
上記巻芯の両側に設けられた一対のリールフランジとを備え、
上記一対のリールフランジによって上記接着フィルムの巻装体を挟持し、
上記巻芯は、小径コアと、上記小径コアに嵌合されるとともに上記接着フィルムが巻回される大径コアとを有し、
上記大径コアは、上記接着フィルムが巻回された後、上記小径コアから取り外されるリール部材。
【請求項３】
上記リールフランジは、上記接着フィルムの巻装体と対峙する内面にリブが設けられ、該リブによって上記接着フィルムの巻装体を挟持する請求項１又は請求項２記載のリール部材。
【請求項４】
上記リブは、上記リールフランジの内周側から外周側にかけて高さが増大する請求項３記載のリール部材。
【請求項５】
上記一対のリールフランジは、内周側から外周側にかけて近接する請求項１〜請求項３のいずれか１項に記載のリール部材。
【請求項６】
上記巻芯は、外径が可変とされ、上記接着フィルムが巻回される際は大径とされ、上記接着フィルムが巻回された後、小径とされる請求項１に記載のリール部材。
【請求項７】
上記一対のリールフランジは、上記巻芯に係合することにより、互いに近接離間可能に支持されている請求項１〜請求項６のいずれか１項に記載のリール部材。
【請求項８】
上記接着フィルムが巻回された請求項１〜請求項７のいずれか１項に記載のリール部材。
【請求項９】
テープ状の接着フィルムが巻回される巻芯と、上記巻芯の両側に設けられた一対のリールフランジとを備え、上記一対のリールフランジは、上記接着フィルムの巻装体の内周側から外周側にかけて強く挟持していくリール部材への上記接着フィルムの巻回方法において、
上記接着フィルムを上記巻芯の外周面に対して傾けるようにガイドしながら上記一対のリールフランジ間を通す接着フィルムの巻回方法。
【請求項１０】
テープ状の接着フィルムが巻回された巻芯と、上記巻芯の両側に設けられた一対のリールフランジとを備え、上記一対のリールフランジは、上記接着フィルムの巻装体の内周側から外周側にかけて強く挟持していくリール部材から上記接着フィルムを巻き出す巻き出し方法において、
上記接着フィルムを上記巻芯の外周面に対して傾けるようにガイドしながら上記一対のリールフランジ間を通す接着フィルムの巻き出し方法。
【発明の詳細な説明】
【技術分野】
【０００１】
本発明は、テープ状の接着フィルムが巻回されるリール部材に関し、特に、接着フィルム巻装体の巻締まりを防止したリール部材、接着フィルムの巻回方法、接着フィルムの巻き出し方法に関する。
【背景技術】
【０００２】
従来から、基板に接着フィルムを用いて電子部品を実装する実装法が用いられている。例えば、液晶表示パネル（ＬＣＤパネル）の周縁部に導電性の接着フィルムを介して液晶駆動回路であるＩＣチップを実装するＣＯＧ（Chip on Glass）実装法や、太陽電池セルにインターコネクタとなるタブ線を接続する接続法が挙げられる。
【０００３】
導電性の接着フィルムは、バインダー樹脂に導電性粒子が分散された接着剤層が、支持体となるベースフィルム上に形成されたものである。このような導電性接着フィルム５０は、例えば、図１８に示すように、一対のリールフランジ５２を有するリール部材５１の巻芯５３に巻回されたフィルム巻装体の形状で使用される（例えば、特許文献１を参照）。
【０００４】
ところで、導電性接着フィルム５０のリール交換を行うためには一端ラインを停止し、接着フィルムを搬送ローラに引き回す等繁雑な作業を要し、ＣＯＧ実装等の工程において大きなタイムロスとなっている。このため、導電性接着フィルム５０のリール交換作業の簡素化や交換回数の低減のための方策が種々試みられている。なかでも、導電性接着フィルム５０の長尺化がリール交換の回数低減に効果的である。
【０００５】
しかし、リール部材５１の巻芯５３に導電性接着フィルム５０が長尺に巻回されることで、巻芯５３付近に巻圧が累積して巻締まりが起こる。これにより、フィルム巻装体は、バインダー樹脂がベースフィルムの両側からはみ出し、実使用時に接着性や導通信頼性を損なうおそれがある。また、はみ出したバインダー樹脂がリールフランジ５２に付着して導電性接着フィルム５０を正常に巻き出せなくなるいわゆるブロッキングという現象が発生するおそれがある。この減少は、特に、常温においてバインダー樹脂の粘性が低い導電性接着フィルムにおいて、顕著にみられる傾向があった。
【先行技術文献】
【特許文献】
【０００６】
【特許文献１】特開２００１−１７１０３３号公報
【特許文献２】特開２０１０−２５７９８３号公報
【特許文献３】特開２０１１−５８００７号公報
【発明の概要】
【発明が解決しようとする課題】
【０００７】
このような不具合に対して、ベースフィルムを接着剤層よりも幅広に設けることではみ出しを抑制する方法（特許文献２、３を参照）や、接着フィルムを巻き取る張力を巻芯部側よりも外周側で弱くすることで巻芯部に巻圧が集中することを防止する方法（いわゆるテーパーテンション）も提案されている。
【０００８】
しかし、ベースフィルムを接着剤層よりも幅広にする方法では、製造が煩雑であることに加え、はみ出しやブロッキングを抑制することはできても、接着剤層が巻圧によって流動することは防止できず、実使用時において接着性や導通信頼性を損なうおそれは依然として残る。
【０００９】
また、テーパーテンションをかけると、図１９に示すように、巻芯の外周側で張力不足による巻ズレや巻緩みが発生し、また、図２０に点線で示すように、導電性接着フィルム５０のリールフランジ５２と巻装体との間への脱落などが起きやすくなるなど、別の問題が生じる。
【００１０】
そこで、本発明は、接着フィルムの長尺化を図ると共に、巻圧集中によるはみ出しやブロッキングを抑制し、かつ巻ズレ等も防止することができるリール部材、接着フィルムの巻回方法、接着フィルムの巻き出し方法を提供することを目的とする。
【課題を解決するための手段】
【００１１】
上述した課題を解決するために、本発明に係るリール部材は、テープ状の接着フィルムが巻回される巻芯と、上記巻芯の両側に設けられた一対のリールフランジとを備え、上記一対のリールフランジは、上記接着フィルムの巻装体の内周側から外周側にかけて強く挟持していくものである。または、上述した課題を解決するために、本発明に係るリール部材は、テープ状の接着フィルムが巻回される巻芯と、上記巻芯の両側に設けられた一対のリールフランジとを備え、上記一対のリールフランジによって上記接着フィルムの巻装体を挟持し、上記巻芯は、小径コアと、上記小径コアに嵌合されるとともに上記接着フィルムが巻回される大径コアとを有し、上記大径コアは、上記接着フィルムが巻回された後、上記小径コアから取り外される。
【００１２】
本発明に係る接着フィルムの巻回方法は、テープ状の接着フィルムが巻回される巻芯と、上記巻芯の両側に設けられた一対のリールフランジとを備え、上記一対のリールフランジは、上記接着フィルムの巻装体の内周側から外周側にかけて強く挟持していくリール部材への上記接着フィルムの巻回方法において、上記接着フィルムを上記巻芯の外周面に対して傾けるようにガイドしながら上記一対のリールフランジ間を通すものである。
【００１３】
本発明に係る接着フィルムの巻き出し方法は、テープ状の接着フィルムが巻回された巻芯と、上記巻芯の両側に設けられた一対のリールフランジとを備え、上記一対のリールフランジは、上記接着フィルムの巻装体の内周側から外周側にかけて強く挟持していくリール部材から上記接着フィルムを巻き出す巻き出し方法において、上記接着フィルムを上記巻芯の外周面に対して傾けるようにガイドしながら上記一対のリールフランジ間を通すものである。
【発明の効果】
【００１４】
本発明によれば、リール部材は、巻芯にテープ状の接着フィルムが巻回されるとともに、一対のリールフランジによって接着フィルム２巻装体を挟持する。これにより、リール部材は、フィルム巻装体に巻締まりが生じて巻芯付近に巻圧が累積することを防止することができる。
【図面の簡単な説明】
【００１５】
【図１】本発明が適用されたリール部材を示す側面図である。
【図２】本発明が適用されたリール部材を示す断面図である。
【図３】リールフランジ５にリブが設けられたリール部材を示す断面図である。
【図４】リブの一形状を示す断面図である。
【図５】リブの一形状を示す断面図である。
【図６】リブの一形状を示す平面図である。
【図７】リブの一形状を示す平面図である。
【図８】リブの一形状を示す平面図である。
【図９】巻芯が大小のコアが嵌合されてなるリール部材を示す図であり、（ａ）は断面図、（ｂ）は分解斜視図である。
【図１０】リールフランジにリブが設けられたリール部材において空隙を設けた状態を示す断面図である。
【図１１】エアシャフトにより構成された巻芯を示す図であり（ａ）は拡径された状態を示す斜視図であり、（ｂ）は縮径された状態を示す斜視図である。
【図１２】リールフランジにリブが設けられていないリール部材において空隙を設けた状態を示す断面図である。
【図１３】リールフランジにテーパ状のリブが設けられたリール部材を示す断面図である。
【図１４】リールフランジにリブが設けられたリール部材においてリールフランジを傾斜させた状態を示す断面図である。
【図１５】リールフランジにリブが設けられていないリール部材においてリールフランジを傾斜させた状態を示す断面図である。
【図１６】接着フィルムをガイドローラで傾けながらリーブフランジ間を通す状態を示す正面図である。
【図１７】接着フィルムの構成を示す断面図である。
【図１８】従来のリール部材を示す斜視図である。
【図１９】従来のリール部材において巻きズレや巻き緩みが生じた状態を示す側面図である。
【図２０】従来のリール部材において巻締まりや接着フィルムの巻装体からの脱落が生じた状態を示す側面図である。
【発明を実施するための形態】
【００１６】
以下、本発明が適用されたリール部材、接着フィルムの巻回方法、接着フィルムの巻き出し方法について、図面を参照しながら詳細に説明する。なお、本発明は、以下の実施形態のみに限定されるものではなく、本発明の要旨を逸脱しない範囲内において種々の変更が可能であることは勿論である。また、図面は模式的なものであり、各寸法の比率等は現実のものとは異なることがある。具体的な寸法等は以下の説明を参酌して判断すべきものである。また、図面相互間においても互いの寸法の関係や比率が異なる部分が含まれていることは勿論である。
【００１７】
本発明が適用されたリール部材１は、図１に示すように、テープ状の接着フィルム２が巻回される巻芯３と、巻芯３の両側に設けられたリールフランジ５とを備える。リール部材１に巻回された接着フィルム２は、巻芯３に巻回されたフィルム巻装体４を形成する。
【００１８】
［巻芯／リールフランジ］
巻芯３は、円筒形状をなし、後述する接着フィルム２と略同じ幅を有する。また、巻芯３は、中心部にリール部材１を回転駆動する図示しない回転装置が挿通する挿通口３ａが形成されている。そして、巻芯３は、両側は一対のリールフランジ５が係合され、リールフランジ５と一体に回転される。
【００１９】
一対のリールフランジ５は、巻芯３に巻回された接着フィルム２を挟持するものであり、例えば透明なプラスチック材料を用いて円盤状に形成されている。また、リールフランジ５は、接着フィルム２と接する面に、静電処理を施すようにしてもよい。静電処理を施す方法としては、例えば、ポリチオフェン等の化合物を塗布する方法が挙げられる。
【００２０】
［フィルム巻装体を挟持］
リール部材１は、巻芯３にテープ状の接着フィルム２が巻回されるとともに、図２に示すように、一対のリールフランジ５によって接着フィルム２の巻装体４を挟持する。これにより、リール部材１は、フィルム巻装体４に巻締まりが生じて巻芯３付近に巻圧が累積することを防止することができる。
【００２１】
すなわち、リール部材１のフィルム巻装体４は、リールフランジ５に挟持されることで、巻圧の内周側への伝達を抑制し、巻締まりの発生及び内周側への巻圧の累積を防止することができる。したがって、リール部材１は、接着フィルム２のバインダー樹脂のはみ出しや、はみ出したバインダー樹脂がリールフランジ５に付着して正常に接着フィルム２が巻き出せなくなるブロッキングを防止することができる。
【００２２】
また、リール部材１は、一対のリールフランジ５によってフィルム巻装体４を挟持することにより、巻芯３やリールフランジ５の回転が規制された状態で接着フィルム２が強引に引っ張られた場合にも、接着フィルム２の引き出しを抑制し、巻締まりの発生及び巻圧の累積を防止することができる。したがって、リール部材１によれば、例えば接着フィルム２を搬送装置のローラに引き回す際に、リール部材１の回転がロックされた状態で接着フィルム２が引っ張られた場合にも、接着フィルム２を容易に引き出すことができず、巻締まりによるバインダー樹脂のはみ出しやブロッキングの発生を防止することができる。
【００２３】
リール部材１は、図２に示すように、一対のリールフランジ５の間隔を接着フィルム２の幅と同距離にすることで、リールフランジ５によって接着フィルム２を挟持することができる。
【００２４】
［リブ］
また、リール部材１は、図３に示すように、フィルム巻装体４と対峙する内面に、内周側から外周側に向かって複数のリブ６を放射状に形成し、当該リブ６によってフィルム巻装体４を挟持してもよい。このとき、リール部材１は、一対のリールフランジ５に相対向して設けられたリブ６の間隔を、接着フィルム２の幅と同距離にすることで、リールフランジ５のリブ６によって接着フィルム２のフィルム巻装体４を挟持することができる。
【００２５】
リール部材１は、リブ６によってフィルム巻装体４を挟持することで、リールフランジ５の全面でフィルム巻装体４を挟持する場合に比してフィルム巻装体４との接触面積を低減させ、これにより接着フィルム２よりはみ出したバインダー樹脂との接触によるブロッキングの発生を抑制することができる。
【００２６】
なお、リブ６は、図４に示すように、断面略半円状に形成してもよく、また、図５に示すように、断面が略矩形状に形成されてもよい。また、リブ６は、例えば、幅０．５ｍｍ〜５．０ｍｍ、高さ０．０３ｍｍ〜２．０ｍｍのサイズで形成することができる。
【００２７】
また、リブ６は、図６に示すように、リールフランジ５の内周側から外周側にかけて湾曲する形状であってもよい。この場合、リール部材１は、フィルム巻装体４とリブ６との接触面積が大きいため、リブ６の本数を減らすことができる。
【００２８】
また、リブ６は、図７に示すように、一対のリールフランジ５の間で所定間隔毎に交互に設けるようにしてもよい。この場合、リール部材１は、リブ６とフィルム巻装体４とが交互に接触するため、フィルム巻装体４への負荷が少なく、接着フィルム２の形状安定性に優れる。
【００２９】
さらに、リブ６は、図８に示すように、幅広の矩形板状に形成してもよい。この場合、幅広のリブ６に当接されることで、フィルム巻装体４はリブ６によって広汎に支持されるため、リブ６の本数を減らすとともに、リブ６とフィルム巻装体４との接触面積は維持することができる。
【００３０】
なお、リール部材１は、リブ６をリールフランジ５の内周から外周縁にかけて形成することで、フィルム巻装体４に累積した巻圧や、リールフランジ５そのものに生じる内部応力が径時変化によって発現することにより、リールフランジ５に歪みが生じることを抑制することができる。したがって、一対のリールフランジ５の間隔が開くことによる接着フィルム２の脱落を防止することができる。
【００３１】
近年は、電子部品の微細化や接着領域の狭小化に伴い、接着フィルム２の幅も細くなってきているため、一対のリールフランジ５の間隔誤差も許容度が低くなっている。また、接着フィルム２の長尺化に伴い、リールフランジ５の径も大きくなり、全面に亘って寸法公差を維持することが厳しくなっている。そこで、リールフランジ５は、寸法公差の少ないリブ６を内周から外周縁にかけて形成することで、リールフランジ５の寸法公差を吸収し、リールフランジ５の歪みによる一対のリールフランジの離間や、これによる接着フィルム２のフィルム巻装体４からの脱落（図２０参照）を防止し、接着フィルム２の長尺化、細幅化を図ることができる。
【００３２】
また、リール部材１は、巻芯３に対して一対のリールフランジ５が互いに近接離間可能に係合することにより、接着フィルム２の幅に応じてリールフランジ５間の距離や、リブ６間の距離を調整することができる。かかる構成は、例えば、巻芯３に設けた挿通口３ａ等の係合口に挿通する係合軸をリールフランジ５の内周面に立設し、当該係合軸の挿通深さによってリールフランジ５間の距離を調整する構成が例示できる。
【００３３】
［巻芯２重コア］
また、図９（ａ）に示すように、リール部材１は、巻芯３を、小径コア８と、小径コア８に嵌合されるとともに接着フィルム２が巻回される大径コア９とから構成してもよい。小径コア８には、中心部にリール部材１を回転駆動する図示しない回転装置が挿通する挿通口８ａが形成されている。大径コア９は、小径コア８から着脱可能に嵌合されている。
【００３４】
このような巻芯３は、小径コア８と大径コア９とが嵌合されることで拡径された状態で、大径コア９に接着フィルム２が巻回される。そして、巻芯３は、接着フィルム２の巻回が終了すると、図９（ｂ）に示すように、大径コア９が小径コア８から取り外されることにより縮径される。これにより、図１０に示すように、リール部材１は、フィルム巻装体４と小径コア８との間に空隙１０が設けられる。この空隙１０は、フィルム巻装体４に巻締まりが発生した際に、巻装体の内周側に累積する巻圧を吸収するための領域である。空隙１０が設けられることにより、リール部材１は、巻圧が内周側に伝達されると、巻装体内周側の接着フィルム２によって巻圧が解放されることで、巻圧の累積を抑制し、接着フィルム２のはみ出しやブロッキングを防止することができる。
【００３５】
［エアシャフト］
また、リール部材１は、巻芯３を大小のコア８，９から構成する他にも、図１１に示すように、巻芯３を、外径が可変とされたエアシャフト１１で構成してもよい。この場合、巻芯３は、図１１（ａ）に示すように、ラグ１２を突出させて拡径された状態で接着フィルム２が巻回される。そして、巻芯３は、接着フィルム２の巻回が終了すると、図１１（ｂ）に示すように、ラグ１２がシャフト内部に後退し縮径する。これによっても、図１０に示すように、リール部材１は、フィルム巻装体４とエアシャフト１１との間に空隙１０が設けられる。
【００３６】
ここで、上述したように、リール部材１は、一対のリールフランジ５でフィルム巻装体４を挟持しているため、接着フィルム２の巻回が終了した後に、大径コア９を取り外し、あるいはラグ１２を後退させることにより巻芯３を縮径させても、フィルム巻装体４がばらけることなく巻回状態を維持することができる。
【００３７】
また、図１２に示すように、リールフランジ５にリブ６が形成されていないリール部材１においても、巻芯３を縮径させて空隙１０を設けてもよい。
【００３８】
［フィルム巻装体の内周側から外周側にかけて強く挟持］
また、リール部材１は、一対のリールフランジによって、フィルム巻装体４の内周側から外周側にかけて強く挟持していくようにしてもよい。これにより、リール部材１は、フィルム巻装体４の外周側から巻圧が内周側へ累積していくことを防止し、はみ出しやブロッキングが生じやすいフィルム巻装体４の内周側の巻締まりを抑制することができる。
【００３９】
また、リール部材１は、リール部材１の回転がロックされ巻芯３やリールフランジ５の回転が規制された状態で接着フィルム２が強引に引っ張られた場合にも、接着フィルム２を容易に引き出すことができず、巻締まりによるバインダー樹脂のはみ出しやブロッキングの発生を防止することができる。
【００４０】
さらに、リール部材１は、接着フィルム２の長尺化に伴いリールフランジ５が大径化することで、フィルム巻装体４の内周側と外周側とで均一な圧力で挟持することが困難となるが、フィルム巻装体４の内周側から外周側にかけて強く挟持するように構成することで、外周側における挟持圧力の不足を解消することができる。
【００４１】
一対のリールフランジによって、フィルム巻装体４の内周側から外周側にかけて強く挟持していく構成としては、例えば図１３に示すように、リールフランジ５に、内周側から外周側にかけて高さが増大するテーパ状のリブ１４を設けることにより形成することができる。なお、図１３では、巻芯３を縮径することによりフィルム巻装体４との間に空隙１０を設けている。また、テーパ状リブ１４の角度θ１は、例えば０．１°〜５°の範囲で設定され、好ましくは０．３°に設定される。
【００４２】
また、リール部材１は、図１４に示すように、リールフランジ５の外周側を屈曲あるいは湾曲させることで、一対のリールフランジ５の外周側の間隔を狭めるようにしてもよい。このとき、リールフランジ５は、リブ６を形成し、リブ６によってフィルム巻装体４の外周側を強く挟持してもよく、図１５に示すように、リブ６を設けず、リールフランジ５の外周側内面によってフィルム巻装体４の外周側を強く挟持してもよい。また、リールフランジ５の傾斜角度θ２は、例えば０．２°〜５°の範囲で設定される。
【００４３】
［接着フィルムの巻回方法］
次いで、リール部材１へ接着フィルム２を巻回する工程について説明する。リール部材１は、一対のリールフランジ５によってフィルム巻装体４を挟持するため、一対のリールフランジ５の間隔がほぼ接着フィルム２の幅と同じとされている。そのため、リール部材１は、接着フィルム２を巻芯３に巻回させる際には、図１６に示すように、接着フィルム２を巻芯３の外周に対して傾けるようにガイドしながら一対のリールフランジ５間を通す。
【００４４】
すなわち、リール部材１に対して、従来通り巻芯３の外周面と平行に接着フィルム２を通したのでは、接着フィルム２の両側が一対のリールフランジ５の内周面と摺接して、巻芯３への巻回が阻害されてしまう。そこで、リール部材１へ接着フィルム２を巻回する際には、接着フィルム２をガイドローラ１５によって、一対のリールフランジ５と摺接しない角度まで巻芯３の外周面に対して傾ける。ガイドローラ１５の傾斜角度θ３は、例えば０．１°〜１５°の範囲で設定される。
【００４５】
一対のリールフランジ５間を通った接着フィルム２は、巻芯３の外周面と平行に巻回されてフィルム巻装体４を形成し、一対のリールフランジ５の内周面、あるいはリブ６，１４に挟持されていく。これにより、接着フィルム２をリール部材１に対してスムーズに巻回することができる。
【００４６】
［接着フィルムの巻き出し方法］
同様に、リール部材１から接着フィルム２を巻き出す工程においても、接着フィルム２をガイドローラ１５によって巻芯３の外周に対して傾けるようにガイドしながら一対のリールフランジ５間を通す。これにより、接着フィルム２は、リールフランジ５に摺接することなく、リール部材１からスムーズに巻き出されることができる。
【００４７】
このとき、巻き出されていない接着フィルム２は、フィルム巻装体４を形成し、一対のリールフランジ５の内周面、あるいはリブ６，１４に挟持されているため、巻き出しの際に掛かる負荷がフィルム巻装体４に巻圧として伝達することが防止され、巻締まりによるバインダー樹脂のはみ出しやブロッキングを防止することができる。
【００４８】
［接着フィルムの構成］
ここで、リール部材１に巻回される接着フィルム２について説明する。接着フィルム２は、図１７に示すように、接着剤層２０と接着剤層２０を支持する支持体となるベースフィルム２１とを備える。
【００４９】
接着剤層２０は、バインダー（絶縁性接着剤組成物）２０ａに導電性粒子２２を含有する異方性導電フィルム（ＡＣＦ：Anisotropic Conductive Film）とすることができるが、これに限定されず、バインダー２０ａに導電性粒子２２を含有しない絶縁性接着フィルム（ＮＣＦ：Non-Conductive Film）であってもよい。
【００５０】
接着フィルム２のバインダー２０ａは、例えば、膜形成樹脂、熱硬化性樹脂、潜在性硬化剤、シランカップリング剤等を含有する通常のバインダーを用いることができる。接着フィルム２は、バインダー２０ａに導電性粒子２２が分散された異方性導電組成物、又は、バインダー２０ａに導電性粒子２２を含有しない絶縁性接着剤組成物を、ベースフィルム２１上に塗布することにより、ベースフィルム２１上に形成される。
【００５１】
ベースフィルム２１は、バインダー２０ａをフィルム状に支持するものであり、例えば、ＰＥＴ（Poly Ethylene Terephthalate）、ＯＰＰ（Oriented Polypropylene）、ＰＭＰ（Poly-4-methlpentene−1）、ＰＴＦＥ（Polytetrafluoroethylene）等にシリコーン等の剥離剤を塗布することにより形成される。
【００５２】
バインダー２０ａに含有される膜形成樹脂としては、平均分子量が１００００〜８００００程度の樹脂が好ましい。膜形成樹脂としては、エポキシ樹脂、変形エポキシ樹脂、ウレタン樹脂、フェノキシ樹脂等の各種の樹脂が挙げられる。中でも、膜形成状態、接続信頼性等の観点からフェノキシ樹脂が特に好ましい。
【００５３】
熱硬化性樹脂としては、常温で流動性を有していれば特に限定されず、例えば、市販のエポキシ樹脂、アクリル樹脂等が挙げられる。
【００５４】
エポキシ樹脂としては、特に限定されないが、例えば、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂等が挙げられる。これらは単独でも、２種以上の組み合わせであってもよい。
【００５５】
アクリル樹脂としては、特に制限はなく、目的に応じてアクリル化合物、液状アクリレート等を適宜選択することができる。例えば、メチルアクリレート、エチルアクリレート、イソプロピルアクリレート、イソブチルアクリレート、エポキシアクリレート、エチレングリコールジアクリレート、ジエチレングリコールジアクリレート、トリメチロールプロパントリアクリレート、ジメチロールトリシクロデカンジアクリレート、テトラメチレングリコールテトラアクリレート、２−ヒドロキシ−１，３−ジアクリロキシプロパン、２，２−ビス[４−（アクリロキシメトキシ）フェニル]プロパン、２，２−ビス[４−（アクリロキシエトキシ）フェニル]プロパン、ジシクロペンテニルアクリレート、トリシクロデカニルアクリレート、トリス（アクリロキシエチル）イソシアヌレート、ウレタンアクリレート、エポキシアクリレート等を挙げることができる。なお、アクリレートをメタクリレートにしたものを用いることもできる。これらは、１種単独で使用してもよいし、２種以上を併用してもよい。
【００５６】
潜在性硬化剤としては、特に限定されないが、例えば、加熱硬化型、ＵＶ硬化型等の各種硬化剤が挙げられる。潜在性硬化剤は、通常では反応せず、熱、光、加圧等の用途に応じて選択される各種のトリガにより活性化し、反応を開始する。熱活性型潜在性硬化剤の活性化方法には、加熱による解離反応などで活性種（カチオンやアニオン）を生成する方法、室温付近ではエポキシ樹脂中に安定に分散しており高温でエポキシ樹脂と相溶・溶解し、硬化反応を開始する方法、モレキュラーシーブ封入タイプの硬化剤を高温で溶出して硬化反応を開始する方法、マイクロカプセルによる溶出・硬化方法等が存在する。熱活性型潜在性硬化剤としては、イミダゾール系、ヒドラジド系、三フッ化ホウ素−アミン錯体、スルホニウム塩、アミンイミド、ポリアミン塩、ジシアンジアミド等や、これらの変性物があり、これらは単独でも、２種以上の混合体であってもよい。中でも、マイクロカプセル型イミダゾール系潜在性硬化剤が好適である。
【００５７】
シランカップリング剤としては、特に限定されないが、例えば、エポキシ系、アミノ系、メルカプト・スルフィド系、ウレイド系等を挙げることができる。シランカップリング剤を添加することにより、有機材料と無機材料との界面における接着性が向上される。
【００５８】
導電性粒子２２としては、異方性導電フィルムにおいて使用されている公知の何れの導電性粒子を挙げることができる。導電性粒子２２としては、例えば、ニッケル、鉄、銅、アルミニウム、錫、鉛、クロム、コバルト、銀、金等の各種金属や金属合金の粒子、金属酸化物、カーボン、グラファイト、ガラス、セラミック、プラスチック等の粒子の表面に金属をコートしたもの、或いは、これらの粒子の表面に更に絶縁薄膜をコートしたもの等が挙げられる。樹脂粒子の表面に金属をコートしたものである場合、樹脂粒子としては、例えば、エポキシ樹脂、フェノール樹脂、アクリル樹脂、アクリロニトリル・スチレン（ＡＳ）樹脂、ベンゾグアナミン樹脂、ジビニルベンゼン系樹脂、スチレン系樹脂等の粒子を挙げることができる。
【００５９】
なお、上述した説明では、ベースフィルム２１上にＡＣＦ又はＮＣＦからなる接着フィルム２が積層されてなる接着フィルム２を用いたが、この例に限定されるものではない。例えば、フィルム積層体は、ＡＣＦとＮＣＦとが積層された２層以上の異方性導電フィルムとしてもよい。
【００６０】
また、接着フィルム２は、接着フィルム２のベースフィルム２１が積層された面とは反対の面側にもカバーフィルムを設ける構成としてもよい。また、例えば、複数の太陽電池セルの電極同士を電気的に接続するための銅箔付き接着フィルムとしてもよい。
【実施例】
【００６１】
次いで、本発明の実施例について説明する。本実施例では、一対のリールフランジによって接着フィルムの巻装体を挟持しているリール部材と、従来のリール部材とを用意し、接着フィルムを引き出し、接着フィルムの長さ毎にはみ出しやブロッキングの発生について観察した。
【００６２】
実施例１では、フィルム巻装体と対峙する内面に、内周側から外周側に向かって複数の直線状のリブを放射状に１２本形成し、当該リブによってフィルム巻装体を挟持したリール部材を用いた（図３参照）。リールフランジの外径は２５０ｍｍである。
【００６３】
実施例２では、大径コアと小径コアとからなる巻芯を用い、フィルム巻装体と巻芯との間に空隙が形成されたリール部材を用いた他は、実施例１と同一の条件とした（図１０参照）。
【００６４】
実施例３では、フィルム巻装体と対峙する内面に、内周側から外周側に向かって複数のテーパ状のリブを放射状に１２本形成し、当該テーパ状リブによってフィルム巻装体を挟持したリール部材を用いた（図１３参照）。リールフランジの外径は３００ｍｍである。テーパ状リブのテーパ角度は、０．３°である。また、実施例３では、大径コアと小径コアとからなる巻芯を用い、フィルム巻装体と巻芯との間に空隙を設けた。
【００６５】
比較例１では、フィルム巻装体とリールフランジとの間にクリアランスを有する従来のリール部材を用いた（図１８参照）。
【００６６】
実施例及び比較例に係るリール部材には、それぞれ、接着フィルムを３００ｍ、５００ｍ、６００ｍ、７００ｍ巻回し、はみ出し及びブロッキングの有無を観察した。はみ出し及びブロッキングが認められない場合を○、はみ出しは認められるがブロッキングは認められない場合は、実用上問題なしとして△とし、はみ出し及びブロッキングが認められた場合は、実用に耐えられないものとして×とした。結果を表１に示す。
【００６７】
【表１】
0005982159.tif 000002
【００６８】
表１に示すように、実施例１〜３によれば、７００ｍ巻回した状態でも、ブロッキングは認められず、実用に耐えられるものであった。一方、比較例１では、３００ｍまでは問題ないが、５００ｍ以上巻回したものでははみ出し及びブロッキングが認められ、実用に耐えられなかった。これより、一対のリールフランジによって接着フィルムの巻装体を挟持することにより、長尺化を図ることができることがわかる。
【００６９】
また、実施例１〜３をみると、実施例１よりも空隙を設けた実施例２の方が長尺化に際してはみ出しが抑制された。これより、空隙を形成することが巻圧の累積抑制に有利であることがわかる。また、実施例２よりもテーパ状リブが形成された実施例３の方が長尺化に際してはみ出しが抑制された。これより、フィルム巻装体の内周側から外周側にかけて強く挟持していくことが巻圧の累積抑制に有利であることがわかる。
【符号の説明】
【００７０】
１  リール部材、２  接着フィルム、３  巻芯、３ａ  挿通口、４  フィルム巻装体、５  リールフランジ、６  リブ、８  小径コア、９  大径コア、１０  空隙、１１  エアシャフト、１２  ラグ、１４  テーパ状リブ、２０  接着剤層、２１  ベースフィルム、２２  導電性粒子
【図１】
0005982159.tif 000003
【図２】
0005982159.tif 000004
【図３】
0005982159.tif 000005
【図４】
0005982159.tif 000006
【図５】
0005982159.tif 000007
【図６】
0005982159.tif 000008
【図７】
0005982159.tif 000009
【図８】
0005982159.tif 000010
【図９】
0005982159.tif 000011
【図１０】
0005982159.tif 000012
【図１１】
0005982159.tif 000013
【図１２】
0005982159.tif 000014
【図１３】
0005982159.tif 000015
【図１４】
0005982159.tif 000016
【図１５】
0005982159.tif 000017
【図１６】
0005982159.tif 000018
【図１７】
0005982159.tif 000019
【図１８】
0005982159.tif 000020
【図１９】
0005982159.tif 000021
【図２０】
0005982159.tif 000022